(57)【要約】【課題】導光体とバックフレームとが接触して発生する音を抑制する面光源装置およびこの面光源装置を備えた液晶表示装置を提供する。【解決手段】冷陰極管３４と、冷陰極管３４から入射された放射光を面状に出射する導光体３６と、導光体３６と冷陰極管３４とを支持するとともに、導光体３６と冷陰極管３４との位置決めをする突起部３２aを有するフレーム３２と、導光体３６に対向して設けられた冷陰極管３６から放射された放射光に所定の光学特性を付与するとともに、前記導光体とフレーム３２の突起部３２aとの間に配置された導光体３６と突起部３２aとの接触を規制した規制部３８aとを有した光学シート３８とを備える。【選択図】      図２
2006066127.tif 000002
【特許請求の範囲】
【請求項１】
光源と、
前記光源から入射された放射光を面状に出射する導光体と、
前記導光体と前記光源とを支持するとともに、前記導光体と前記光源とを位置決めする突起部を有するフレームと、
前記導光体に対向して設けられた前記光源から放射された放射光に所定の光学特性を付与するとともに、前記導光体と前記フレームの突起部との間に配置された前記導光体と突起部との接触を規制する規制部とを有した光学シートと、
を備えた面光源装置。
【請求項２】
前記導光体は、放射光を面状に出射する第１主面、この第１主面の反対側に位置し前記フレームに対向した第２主面、および第１および第２主面間を延びるとともに前記突起部に対向した側面を有し、
前記光学シートは、前記第１および第２主面に対向して設けられ、前記規制部は、前記光学シートから延出し前記側面に沿って折り曲げられた舌片を有する、
請求項１記載の面光源装置。
【請求項３】
前記導光体は、前記光源からの放射光が入射する入射面と、入射面から入射した入射光が出射する第１主面と、この第１主面の反対側に位置する第２主面とを備え、
前記舌片は、前記導光体の第１主面側に配置された前記光学シートに設けられている
請求項１記載の面光源装置。
【請求項４】
前記導光体は、前記光源からの放射光が入射する入射面と、入射面から入射した入射光が出射する第１主面と、この第１主面の反対側に位置する第２主面とを備え、
前記舌片は、前記フレームと前記導光体の第２主面との間に配置された前記光学シートに設けられている
請求項１記載の面光源装置。
【請求項５】
前記光学シートは略矩形状で、その大きさは前記導光体と前記光源が配置される領域よりも大きく、
前記導光体の前記光源に対向していない側面と、前記光源の導光体に対向していない側面側と、上面側とを覆うように配置されている
請求項１記載の面光源装置。
【請求項６】
複数の表示画素が配置された有効表示部を備えた液晶表示パネルと、
前記液晶表示パネルを照明する面光源装置と、を備えた液晶表示装置であって、
前記面光源装置は、光源と、
前記光源から入射された放射光を面状に出射する導光体と、
前記導光体と前記光源とを支持するとともに、前記導光体と前記光源とを位置決めする突起部を有するフレームと、
前記導光体に対向して設けられた前記光源から放射された放射光に所定の光学特性を付与するとともに、前記導光体と前記フレームの突起部との間に配置された前記導光体と突起部との接触を規制する規制部とを有した光学シートと、
を備えた液晶表示装置。
【請求項７】
前記導光体は、前記液晶表示パネルと対向する第１主面、前記フレームに対向する第２主面、および第１および第２主面間を延びるとともに前記突起部に対向した側面を有し、
前記光学シートは、前記第１および第２主面の一方に対向して設けられ、前記規制部は、前記光学シートから延出し前記側面に沿って折り曲げられた舌片を有する、
請求項６記載の液晶表示装置。
【請求項８】
前記導光体は、前記光源からの放射光が入射する入射面と、入射面から入射した入射光が出射する互いに対向した第１主面および第２主面を備え、
前記舌片は、前記導光体の第１主面側に配置された前記光学シートに設けられている
請求項６記載の液晶表示装置。
【請求項９】
前記導光体は、前記光源からの放射光が入射する入射面と、入射面から入射した入射光が出射する互いに対向した第１主面および第２主面を備え、
前記舌片は、前記フレームと前記導光体の第２主面との間に配置された前記光学シートに設けられている
請求項６記載の液晶表示装置。
【請求項１０】
前記光学シートは略矩形状で、その大きさは前記導光体と前記光源が配置される領域よりも大きく、
前記導光体の前記光源に対向していない側面と、前記光源の導光体に対向していない側面側と、上面側とを覆うように配置されている
請求項６記載の液晶表示装置。
【発明の詳細な説明】
【技術分野】
【０００１】
この発明は、液晶表示パネルを照明する面光源装置及びこの面光源装置を備えた液晶表示装置に関する。
【背景技術】
【０００２】
一般に液晶表示装置は、入力された画像を表示する液晶表示パネルと、液晶表示パネルを背面から照明する面光源装置とを有している。液晶表示パネルは、面光源装置のバックフレームによって支持され、有効表示部を露出させる窓部を備えたベゼルカバーにより周縁部が保持されている。
【０００３】
面光源装置は、光を放射する光源と、光源からの入射光を面状に出射する導光体とを有している。導光体および光源はバックフレームに支持され、光源は導光体の周囲に配置されている。バックフレームは、光源と導光体との間に突出した突起部を有し、光源および導光体は突起部によって位置決めされている。
【０００４】
バックフレームは、例えばポリカーボネイト系樹脂により形成され、導光体はアクリル系樹脂により形成されている。液晶表示装置に外力系が作用して面光源装置にねじれが生じると、導光体と突起部とが接触して騒音が発生する。
【０００５】
上記のような部材同士が接触することによって生じる騒音、例えば、液晶パネルと枠体とが接触することによって発生する音を抑制する方法として、枠体の内壁に傾斜面を形成する方法が提案されている。（特許文献１参照）
【特許文献１】特開２００１−４９８３号公報
【発明の開示】
【発明が解決しようとする課題】
【０００６】
しかし、上記の方法は導光体とバックフレームの突起部とが接触することによって発生する騒音を抑制する場合に適応可能と言うわけではない。
【０００７】
本発明は、上記のような問題点に鑑みなされたものであって、導光体とバックフレームの突起部とが接触することで発生する騒音を抑制する面光源装置および、上記の面光源装置を備えた液晶表示装置を提供することを目的とする。
【課題を解決するための手段】
【０００８】
本発明の様態による面光源装置は、光源と、前記光源から入射された放射光を面状に出射する導光体と、前記導光体と前記光源とを支持するとともに、前記導光体と前記光源とを位置決めする突起部を有するフレームと、前記導光体に対向して設けられた前記光源から放射された放射光に所定の光学特性を付与するとともに、前記導光体と前記フレームの突起部との間に配置された前記導光体と突起部との接触を規制する規制部とを有した光学シートとを備える。
【０００９】
本発明の様態による液晶表示装置は、複数の表示画素が配置された有効表示部を備えた液晶表示パネルと、前記液晶表示パネルを照明する面光源装置と、を備えた液晶表示装置であって、前記面光源装置は、光源と、前記光源から入射された放射光を面状に出射する導光体と、前記導光体と前記光源とを支持するとともに、前記導光体と前記光源とを位置決めする突起部を有するフレームと、前記導光体に対向して設けられた前記光源から放射された放射光に所定の光学特性を付与するとともに、前記導光体と前記フレームの突起部との間に配置された前記導光体と突起部との接触を規制する規制部とを有した光学シートと
を備える。
【発明の効果】
【００１０】
本発明によれば、導光体とバックフレームの突起部とが接触することによって発生する騒音を抑制する面光源装置および、これを備えた液晶表示装置を提供することができる。
【発明を実施するための最良の形態】
【００１１】
以下、本発明の一実施の形態に係る面光源装置及びその面光源装置を用いた液晶表示装置について図面を参照して説明する。
【００１２】
図１は、本発明の一実施の形態に係る液晶表示装置の構造を概略的に示す分解斜視図である。図３は、図１に示した液晶表示装置の要部を示す図である図２（ｂ）のＡ−Ａ´で切断した断面図である。
【００１３】
図１に示すように、液晶表示装置１００は、矩形状の液晶表示パネル１０、液晶表示パネル１０を裏面から照明する面光源装置としてのバックライト３０、および、バックライト３０のバックフレーム３２に取り付けられ、液晶表示装置の周縁部を保持したベゼルカバー２０を備えている。バックライト３０は液晶表示パネル１０の裏面側に対向配置されている。矩形枠状のベゼルカバー２０は、液晶表示パネル１０の表面側に取り付けられている。
【００１４】
図１および図３に示すように、この液晶表示パネル１０は、対向配置されたアレイ基板１２および対向基板１４を備えている。アレイ基板１２と対向基板１４との間には、液晶層が挟持され、アレイ基板１２と対向基板１４の外面には、それぞれ偏向板１８が固定されている。液晶表示パネル１０は、画像を表示させる表示領域に相当する矩形状の有効表示部１６を有している。この有効表示部１６は、マトリクス状に配置された複数の表示画素ＰＸによって構成されている。
【００１５】
液晶表示パネル１０に駆動信号を供給する細長い矩形平板状のドライバ回路１１は、フレキシブルな細長い矩形略平板状の一対のプリント配線基板１３を介して、液晶表示パネル１０の一側縁に電気的に接続されている。ドライバ回路１１は、バックライト３０の裏面側に向けてプリント配線基板１３を湾曲させることにより、バックライト３０の裏面側に配置されている。このとき、ドライバ回路１１とバックライト３０との間には、細長い矩形シート状の絶縁シート４０が介在され、絶縁シート４０が、ドライバ回路１１とバックライト３０との間の絶縁性を確保している。
【００１６】
ベゼルカバー２０は、液晶表示パネル１０の有効表示部１６を露出させる矩形状の窓部２２、および、窓部２２を規定している矩形枠状の本体部２４を備えている。本体部２４は、液晶表示パネル１０を収容した際に、液晶表示パネル１０の外縁部を覆う外周縁部２６を備えている。
【００１７】
バックライト３０は略矩形状で、その表面側が液晶表示パネル１０の裏面側に対向し、液晶表示パネル１０をその裏面側から照明する。
【００１８】
バックライト３０は、光源としての冷陰極管３４、冷陰極管３４からの出射光を平面状に出射する導光体３６、冷陰極管３４と導光体３６とを支持するバックフレーム３２、および導光体３６の表面側および裏面側に配置される光学シート３８、３９を有している。
【００１９】
バックフレーム３２は、略矩形状で、冷陰極管３４および導光体３６を支持する面と、液晶表示パネル１０の側面および冷陰極管３４の側面に対向する枠部３２bとを有している。
【００２０】
導光体３６は、互いに対向した第１主面３６a（表面）および第２主面３６ｂ（裏面）と、第１および第２主面間を延びている側面とを有している。導光体３６の冷陰極管３４側の側面は、冷陰極管３４に平行に対向している状態で配置され、第１主面３６aは液晶表示パネル１０の裏面に向けた状態で配置されている。つまり、冷陰極管３４に対向している側面は、冷陰極管３４からの放射光が入射する光入射面に相当し、第１主面３６aは、面状光を液晶表示パネル１０に向けて出射する光出射面に相当する。
【００２１】
導光体３６の裏面側に配置されている光学シート３８は、導光体３６の裏面側から漏れ出る光に対して、所定の光学特性を付与するもので、導光体３６の裏面側および側面側から外部へ漏れ出た光を、導光体３６に向けて反射する反射シートである。導光体の表面側に配置されている光学シート３９は、導光体３６の表面側から出射された面状光に対して、所定の光学特性を付与するもので、例えば、光を集光する集光シート、および光を拡散する拡散シート等で構成されている。
【００２２】
図２（ａ）は、バックライト３０の正面図で、図２（ｂ）は図２（ａ）に示すバックライト３０の右上の突起部３２a付近を拡大して示している。なお、図２では、バックライト３０の構成を分かりやすくするために、図３に示す光学シート３９とフロントフレーム３１とを取り外した状態を示している。
【００２３】
バックフレーム３２の右側および下側の枠部３２bに沿って、例えば略Ｌ字状の冷陰極管３４が配置されている。冷陰極管３４は、細長い円筒状の管状光源で、その両端には例えば弾性を有するゴム等で形成されたランプホルダー３３が取り付けられている。冷陰極管３４の両端部と導光体３６との間には、冷陰極管３４と導光体３６とを位置決めするための突起部３２ａがバックフレーム３２に形成され、導光体３６の右上と左下の冷陰極管３４に面している側面には、突起部３２aをはめ込む切り欠き部３５が形成されている。
【００２４】
光学シート３８の規制部としての舌片３８aは、光学シートから延出し、同光体３６の側面に沿って折り曲げられて、導光体３６の切り欠き部３５と突起部３２ａとの間に配置されている。
【００２５】
図４に、光学シート３８の形状を示す。光学シート３８は略矩形状のシートで、その右上と左下の角は、略矩形状に切り取られている。舌片３８ａは略矩形状で、光学シート３８の右上と左上との１箇所ずつに、バックフレーム３２の突起部３２ａの位置に合わせて形成されている。
【００２６】
光学シート３８の上側および左側の辺に沿う点線と、下側および右側の辺に沿う最も内側の点線とは、導光体３６が配置される位置を示している。冷陰極管３４は、下側と右側との辺に沿う内側から２番目の点線と、導光体３６との間に配置される。
【００２７】
つまり、光学シート３８の舌片３８aは、導光体３６の側面に沿って折り曲げられて、導光体３６と突起部３２aとの間に配置される。光学シート３８の上側および左側の点線より外側は、点線で折り曲げられて導光体３６の冷陰極管３４に対向していない側面を覆う。光学シート３８の下側および右側で冷陰極管が配置される領域の外側は、冷陰極管３４の導光体３６に面していない側面側と上面側を覆うように、２度折り曲げられる。
【００２８】
上記のように、導光体３６の側面に沿って折り曲げて立ち上げた舌片３８ａの高さは、少なくとも導光体３６の高さの１/２以上であることが望ましい。また、折り曲げて立ち上げた舌片３８ａの幅は、突起部３２aの幅の１/２以上の大きさであることが望ましい。なお、舌片３８a、突起部３２aおよび、切り欠き部３５の幅は、図２（ｂ）のＡ−Ａ´に略直交する方向の舌片３８a、突起部３２aおよび、切り欠き部３５の長さである。
【００２９】
上記のように光学シート３８に規制部としての舌片３８ａを形成し、導光体３６と突起部３２ａとの間に舌片３８ａを配置する事によって、導光体３６とバックフレーム３２の突起部３２ａが直接接触することが無くなる。そのため、バックフレーム３２の突起部３２ａと導光体３６との両方が、硬い材料で形成されている場合でも、新しい構成要素を追加することなく、導光体３６と突起部３２ａが接触することによって生じる騒音を抑制することができる。
【００３０】
また、冷陰極管３４が放射する放射光が、導光体３６の第２主面３６ｂ側および冷陰極管３４に面していない側面側から漏れても、光学シート３８によって、漏れた光を導光体３６の方向に反射させることができる。
【００３１】
なお、上記の実施形態では導光体３６の第２主面３６ｂ側に配置される光学シート３８の舌片３８ａを、導光体３６の下側から折り曲げて、導光体３６と突起部３２ａとの間に配置している。しかし、導光体３６の第１主面３６a側に配置されている光学シート３９に舌片を形成し、舌片を導光体３６の第１主面３６a側から導光体３６の側面に沿って折り曲げて、導光体３６と突起部３２ａとの間に配置しても良い。
【００３２】
上記の実施形態では、略Ｌ字状の冷陰極管３４を光源として用いているが、略直線状の冷陰極管を用いた場合にも、本発明を適応することができる。その場合、導光体３６は略矩形平板状ではなく、冷陰極管から光が入射する側面からその反対の側面に向かって厚さが徐々に薄くなるような楔形に形成されることが望ましい。
【００３３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３４】
【図１】本発明の一実施形態に係る面光源装置を備えた液晶表示装置の構造を概略的に示す分解斜視図。
【図２】図１に示した液晶表示装置の面光源装置の正面図。
【図３】図１に示した液晶表示装置を図２のＡ−Ａ´で切断した断面図。
【図４】図１に示した液晶表示装置の光学シートの形状を示す図。
【符号の説明】
【００３５】
１０…液晶表示パネル、３０…面光源装置、３２…バックフレーム、３２ａ…突起部、３４…冷陰極管、３６…導光体、３６ａ…第１主面、３６ｂ…第２主面、３８…光学シート、３８ａ…舌片、１００…液晶表示装置
【図１】
2006066127.tif 000003
【図２】
2006066127.tif 000004
【図３】
2006066127.tif 000005
【図４】
2006066127.tif 000006